(57)【要約】【課題】第１調理領域、第２調理領域の２つの領域に仕切られた仕切り調理容器の，前記２つの調理領域に異なる種類の被調理物を収容して調理を行う場合にも良好な調理を行うことが可能なガスコンロを提供する。【解決手段】所定のコンロバーナ１がバーナ第１領域１１とバーナ第２領域１２の２つの領域に分割され、バーナ第１領域には、第１の炎孔群１０Ｇ１が配設され、バーナ第２領域には、第２の炎孔群１０Ｇ２が配設され、温度検出装置が、仕切り調理容器３０の底部第１領域３１ａの温度を検出する第１温度検出装置４０ａと、仕切り調理容器３０の底部第２領域３１ｂの温度を検出する第２温度検出装置４０ｂとを備え、制御手段が、第１温度検出装置で検出された温度に基づいて第１の炎孔群に形成される火炎の火力を制御し、第２温度検出装置で検出された温度に基づいて第２の炎孔群に形成される火炎の火力を制御するように構成する。【選択図】図５
2020020556.tif 000002
【特許請求の範囲】
【請求項１】
燃料ガスを燃焼させて火炎を形成する複数の炎孔からなる炎孔群を備え、前記火炎により調理容器を加熱するコンロバーナと、
前記コンロバーナの周囲に配設され、載置された前記調理容器を支持する五徳と、
前記調理容器の底部の温度を検出する温度検出装置と、
検出された前記調理容器の温度により、前記コンロバーナの火力を制御する制御手段とを備えたガスコンロであって、
前記調理容器として、平面視で第１調理領域と第２調理領域の２つの領域に仕切られているとともに、底部が前記２つの領域に対応する底部第１領域と底部第２領域とを備えた仕切り調理容器を用いることが予定されており、
所定の前記五徳に載置された前記仕切り調理容器を加熱する所定の前記コンロバーナが、平面視で、前記仕切り調理容器の前記第１調理領域を加熱するためのバーナ第１領域と、前記仕切り調理容器の前記第２調理領域を加熱するためのバーナ第２領域の２つの領域に分割され、
前記コンロバーナの前記バーナ第１領域には、前記炎孔群を２つに分割した一方の炎孔群である第１の炎孔群が配設され、
前記コンロバーナの前記バーナ第２領域には、前記炎孔群を２つに分割した他方の炎孔群である第２の炎孔群が配設され、
前記温度検出装置が、前記仕切り調理容器の前記底部第１領域の温度を検出する第１温度検出装置と、前記仕切り調理容器の前記底部第２領域の温度を検出する第２温度検出装置とを備え、
前記制御手段が、前記第１温度検出装置によって検出された温度に基づいて前記第１の炎孔群に形成される火炎の火力を制御し、前記第２温度検出装置によって検出された温度に基づいて前記第２の炎孔群に形成される火炎の火力を制御するように構成されていること
を特徴とするガスコンロ。
【請求項２】
前記第１の炎孔群と前記第２の炎孔群とによって、前記炎孔群が平面視円環状に形成されていること
を特徴とする請求項１記載のガスコンロ。
【請求項３】
前記第１の炎孔群にスパークを発生する第１の点火プラグと前記第１の炎孔群に形成される火炎を検出する第１の火炎検出装置、および、前記第２の炎孔群にスパークを発生する第２の点火プラグと前記第２の炎孔群に形成される火炎を検出する第２の火炎検出装置を備え、
前記第１の点火プラグが前記第１の炎孔群の一端側に位置し、前記第１の火炎検出装置が前記第１の炎孔群の他端側に位置し、前記第２の点火プラグが前記第２の炎孔群の一端側に位置し、前記第２の火炎検出装置が前記第２の炎孔群の他端側に位置していること
を特徴とする請求項１または２記載のガスコンロ。
【請求項４】
前記制御手段が、前記第１の火炎検出装置、および、前記第２の火炎検出装置の両方が火炎の検出をした後に、前記第１の火炎検出装置、および、前記第２の火炎検出装置のいずれか一方が火炎の不存在を検出したとき、前記第１の炎孔群、および、前記第２の炎孔群の両方の燃焼を停止するように構成されていること
を特徴とする請求項３記載のガスコンロ。
【発明の詳細な説明】
【技術分野】
【０００１】
本発明は、ガスコンロに関し、詳しくは、いわゆる仕切り鍋などのように１つの鍋を平面視で２つの領域に仕切った調理容器（仕切り調理容器）を用いて調理を行うのに適したコンロバーナを備えたガスコンロに関する。
【背景技術】
【０００２】
ガスコンロには、鍋や釜などの調理容器の温度を検出する温度検出装置と、検出された調理容器の温度により、コンロバーナの火力を制御する制御手段を備えたガスコンロがある。
【０００３】
そのようなガスコンロとして、特許文献１には、鍋や釜などの調理容器を載置する五徳と、調理容器の温度（鍋底の温度）を検出する温度検出装置と、温度検出装置により検出された調理容器の温度により、コンロバーナの火力を制御する制御手段を備え、温度検出装置により検出された調理容器の温度に応じて、制御手段がコンロバーナの火力を自動で調節を行うように構成されたガスコンロが開示されている。
【０００４】
特許文献１のガスコンロは、上述のように構成されているので、五徳上に載置され、コンロバーナによって加熱される調理容器の下面の温度を、温度検出装置よって検出し、その検出温度に応じて、制御手段がコンロバーナの火力を自動で調節して調理を行う自動調理を行うことが可能になり有意義である。
【先行技術文献】
【特許文献】
【０００５】
【特許文献１】特開２０１８−０３５９７０号公報
【発明の概要】
【発明が解決しようとする課題】
【０００６】
ところで、市場には、鍋を平面視で２つの領域に仕切る仕切りを備えた種々の仕切り鍋（仕切り調理容器）が広く販売されており、特許文献１に記載されているようなガスコンロにより、上述のような仕切り鍋（仕切り調理容器）を用いた調理が行われる場合も当然にあるものと考えられる。
【０００７】
そして、特許文献１に記載されたガスコンロで、上述のような仕切り鍋を用いた調理を行った場合、平面視で２つの領域を含む鍋底の温度が一つの温度検出装置で検出されることになり、例えば、仕切り鍋に収容される被調理物として、２つの領域に異なる種類の被調理物（食材）が入れられている場合に不都合が生じることになる。
【０００８】
ここで、２つの領域のうちの一方の領域に昆布出汁が収容され、他方の領域に豆乳が収容されている場合を想定して説明する。
【０００９】
豆乳は、昆布出汁と比較して吹きこぼれが生じ易いため、昆布だしと比較して低い温度となるように制御することが好ましい。
また、昆布だしを用いて豚しゃぶを調理する場合や、昆布だしを用いて白菜や大根などの野菜の調理を行う場合には、強く沸騰させることで、調理時間の短縮を図ることができて便利である。
【００１０】
このような場合に、２つの領域のうちの一方の領域に昆布出汁が収容されており、平面視で２つの領域のうちの他方の領域に豆乳が収容されている仕切り鍋を特許文献１に記載されたガスコンロで加熱した場合、昆布だしが沸騰することを優先したときには、豆乳が吹きこぼれるるおそれがあり、豆乳が吹きこぼれないことを優先したときには、昆布出汁の加熱が不十分となり、昆布出汁が収容された領域の調理時間が長くなってしまうという不便が生じる。
【００１１】
本発明は、上記の課題を解決するものであり、平面視で２つの領域に仕切られた仕切り調理容器の，２つの調理領域に異なる種類の被調理物を収容して調理を行う場合にも良好な調理を行うことが可能なガスコンロを提供することを目的とする。
【課題を解決するための手段】
【００１２】
上記の目的を達成するために、本発明のガスコンロは、
燃料ガスを燃焼させて火炎を形成する複数の炎孔からなる炎孔群を備え、前記火炎により調理容器を加熱するコンロバーナと、
前記コンロバーナの周囲に配設され、載置された前記調理容器を支持する五徳と、
前記調理容器の底部の温度を検出する温度検出装置と、
検出された前記調理容器の温度により、前記コンロバーナの火力を制御する制御手段とを備えたガスコンロであって、
前記調理容器として、平面視で第１調理領域と第２調理領域の２つの領域に仕切られているとともに、底部が前記２つの領域に対応する底部第１領域と底部第２領域とを備えた仕切り調理容器を用いることが予定されており、
所定の前記五徳に載置された前記仕切り調理容器を加熱する所定の前記コンロバーナが、平面視で、前記仕切り調理容器の前記第１調理領域を加熱するためのバーナ第１領域と、前記仕切り調理容器の前記第２調理領域を加熱するためのバーナ第２領域の２つの領域に分割され、
前記コンロバーナの前記バーナ第１領域には、前記炎孔群を２つに分割した一方の炎孔群である第１の炎孔群が配設され、
前記コンロバーナの前記バーナ第２領域には、前記炎孔群を２つに分割した他方の炎孔群である第２の炎孔群が配設され、
前記温度検出装置が、前記仕切り調理容器の前記底部第１領域の温度を検出する第１温度検出装置と、前記仕切り調理容器の前記底部第２領域の温度を検出する第２温度検出装置とを備え、
前記制御手段が、前記第１温度検出装置によって検出された温度に基づいて前記第１の炎孔群に形成される火炎の火力を制御し、前記第２温度検出装置によって検出された温度に基づいて前記第２の炎孔群に形成される火炎の火力を制御するように構成されていること
を特徴している。
【００１３】
本発明のガスコンロにおいては、前記第１の炎孔群と前記第２の炎孔群とによって、前記炎孔群が平面視円環状に形成されていること
が好ましい。
【００１４】
また、前記第１の炎孔群にスパークを発生する第１の点火プラグと前記第１の炎孔群に形成される火炎を検出する第１の火炎検出装置、および、前記第２の炎孔群にスパークを発生する第２の点火プラグと前記第２の炎孔群に形成される火炎を検出する第２の火炎検出装置を備え、
前記第１の点火プラグが前記第１の炎孔群の一端側に位置し、前記第１の火炎検出装置が前記第１の炎孔群の他端側に位置し、前記第２の点火プラグが前記第２の炎孔群の一端側に位置し、前記第２の火炎検出装置が前記第２の炎孔群の他端側に位置していること
が好ましい。
【００１５】
また、前記制御手段が、前記第１の火炎検出装置、および、前記第２の火炎検出装置の両方が火炎の検出をした後に、前記第１の火炎検出装置、および、前記第２の火炎検出装置のいずれか一方が火炎の不存在を検出したとき、前記第１の炎孔群、および、前記第２の炎孔群の両方の燃焼を停止するように構成されていること
が好ましい。
【発明の効果】
【００１６】
本発明のガスコンロは、上述のように、所定の五徳に載置された仕切り調理容器を加熱する所定のコンロバーナが、平面視で、バーナ第１領域とバーナ第２領域の２つの領域に分割され、バーナ第１領域には炎孔群を２つに分割した一方の炎孔群である第１の炎孔群が配設され、バーナ第２領域には炎孔群を２つに分割した他方の炎孔群である第２の炎孔群が配設され、温度検出装置が、仕切り調理容器の底部第１領域の温度を検出する第１温度検出装置と、仕切り調理容器の底部第２領域の温度を検出する第２温度検出装置とを備え、制御手段が、第１温度検出装置によって検出された温度に基づいて第１の炎孔群に形成される火炎の火力を制御し、第２温度検出装置によって検出された温度に基づいて第２の炎孔群に形成される火炎の火力を制御するように構成されているので、調理容器として広く市販されている、調理領域が２つの領域に仕切られた仕切り調理容器（仕切り鍋など）を用いて調理を行う場合において、２つの領域に収容にされる調理物が異なる種類のものである場合にも、良好に調理を行うことが可能なガスコンロを実現することができる。
【００１７】
また、第１の炎孔群と第２の炎孔群とによって、上述の炎孔群が平面視円環状に形成されている場合、仕切り調理容器として広く市販されている、平面形状が円形の仕切り調理容器（仕切り鍋など）を用いる場合に、鍋の平面形状と相似形状の火炎により鍋が加熱されるので、エネルギ消費効率を向上させることができる。
【００１８】
また、第１の炎孔群にスパークを発生する第１の点火プラグと第１の炎孔群に形成される火炎を検出する第１の火炎検出装置、および、第２の炎孔群にスパークを発生する第２の点火プラグと第２の炎孔群に形成される火炎を検出する第２の火炎検出装置を備え、第１の点火プラグが第１の炎孔群の一端側に位置し、第１の火炎検出装置が第１の炎孔群の他端側に位置し、第２の点火プラグが第２の炎孔群の一端側に位置し、第２の火炎検出装置が第２の炎孔群の他端側に位置している構成を備えている場合、確実に第１の炎孔群、および、第２の炎孔群における、着火と火移りを検出することが可能になり、使い勝手の良好で、信頼性の高いガスコンロを提供することが可能になる。
【００１９】
また、制御手段が、第１の火炎検出装置、および、第２の火炎検出装置の両方が火炎の検出をした後に、第１の火炎検出装置、あるいは、第２の火炎検出装置のいずれか一方が火炎の不存在を検出したとき、第１の炎孔群、および、第２の炎孔群の両方の燃焼を停止するように構成されている場合、第１の火炎検出装置、あるいは、第２の火炎検出装置のいずれか一方の途中消火が発生したときに、使用者に、途中消火が生じたことを確実に気付かせることが可能になり、調理の失敗を防ぐことができる。
【図面の簡単な説明】
【００２０】
【図１】本発明の実施形態にかかるガスコンロが備えるコンロバーナの要部平面図である。
【図２】本発明の実施形態にかかるガスコンロが備える五徳上に仕切り調理容器（仕切り鍋）を載置した状態を示す要部正面図である。
【図３】本発明の実施形態にかかるガスコンロで用いられる仕切り調理容器の一例である仕切り鍋を示す平面図である。
【図４】本発明の実施形態にかかるガスコンロで用いられる仕切り調理容器の一例である仕切り鍋を示す正面図である。
【図５】本発明の実施形態にかかるガスコンロが備える五徳上に仕切り鍋を載置した状態における、コンロバーナと仕切り鍋との相対的な位置関係の一例を示す平面図である。
【発明を実施するための形態】
【００２１】
［実施形態］
以下、本発明の実施形態を示して、その特徴とするところをさらに詳しく説明する。
【００２２】
本実施形態にかかるガスコンロＡは、広く市販されている、鍋を平面視で２つの領域に仕切る仕切りを備えた、いわゆる仕切り鍋（仕切り調理容器）を用いて調理を行うのに適した構成を有するガスコンロである。
【００２３】
本実施形態にかかるガスコンロＡにおいて、図１、図２に示すように、コンロバーナ１は、その周囲に、燃料ガスを燃焼させて火炎を形成する複数の炎孔１０からなる炎孔群１０Ｇを備えている。
【００２４】
なお、本実施形態において、炎孔群１０Ｇは，コンロバーナ１の周方向に沿って複数の炎孔を配設することにより形成されており、第１の炎孔群１０Ｇ１と、第２の炎孔群１０Ｇ２とによって、円環状の炎孔群１０Ｇが形成されている（図１、図５参照）。
なお、コンロバーナ１の詳しい構成については後述する。
【００２５】
また、コンロバーナ１の周囲の天板５０上には、五徳２０が配設されている。五徳２０は、円環状の五徳枠２１の所定の位置に、複数（本実施形態では、６本）の五徳爪２２を溶接により取り付ける（止着する）ことにより形成されている。
【００２６】
また、本実施形態にかかるガスコンロＡは、五徳２０上に載置された仕切り調理容器３０の底部３１の温度を検出するための温度検出装置４０を備えている（図１、図２、図５参照）。
【００２７】
ここで、本実施形態にかかるガスコンロＡを用いて加熱調理を行うのに用いられる仕切り調理容器３０について説明する。
【００２８】
本実施形態において用いられている仕切り調理容器３０は、広く市販されている調理容器であって、図２〜図５に示すように、調理容器本体（鍋本体）３０ａを平面視で２つの領域である第１調理領域３５ａと、第２調理領域３５ｂに仕切る仕切り３６を備えた仕切り調理容器（仕切り鍋）である。
【００２９】
この仕切り調理容器３０は、第１調理領域３５ａと、第２調理領域３５ｂに、異なる種類の食材を収容して加熱調理を行うことができるように構成されている。具体的には、第１調理領域３５ａには例えば豆乳が入れられ、第２調理領域３５ｂには、例えば昆布出汁が入れられて、後述するように、それぞれ所定の条件で加熱調理を行うことができるように構成されている。
【００３０】
なお、図５においては、コンロバーナ１と仕切り調理容器（仕切り鍋）３０との位置関係の理解を容易にするため、仕切り調理容器３０を２点鎖線にて示している。
【００３１】
また、本実施形態においては、仕切り調理容器３０の上述の第１調理領域３５ａの底部が後述の底部第１領域３１ａとなり、第２調理領域３５ｂの底部が後述の底部第２領域３１ｂとなるように構成されている。
【００３２】
また、本実施形態にかかるガスコンロＡは、温度検出装置４０によって検出される仕切り調理容器３０の底部第１領域３１ａと、底部第２領域３１ｂの温度により、コンロバーナ１の火力を制御する制御手段（図示せず）を備えている。
【００３３】
以下に、本実施形態にかかるガスコンロの特徴的な構成についてさらに、説明する。
【００３４】
本実施形態にかかるガスコンロＡにおいて用いられているコンロバーナ１は、所定の五徳２０に載置された仕切り調理容器３０を加熱する所定のコンロバーナ１が、平面視で、バーナ第１領域１１とバーナ第２領域１２の２つの領域に分割されている（図１、図５参照）。
【００３５】
具体的には、平面視半円の円弧状のバーナ第１領域１１と、平面視半円の円弧状のバーナ第２領域１２とに分割形成されている。
【００３６】
なお、図１においては、コンロバーナ１と五徳２０との位置関係の理解を容易にするため、五徳２０を２点鎖線にて示している。
【００３７】
そして、コンロバーナ１のバーナ第１領域１１には、炎孔群１０Ｇを２つ分割した一方の炎孔群である第１の炎孔群１０Ｇ１が配設され、コンロバーナ１のバーナ第２領域１２には、炎孔群１０Ｇを２つ分割した他方の炎孔群である第２の炎孔群１０Ｇ２が配設されている。
【００３８】
また、仕切り調理容器３０の底部３１の温度を検出するための温度検出装置４０は、仕切り調理容器３０の底部３１のうちの底部第１領域３１ａの温度を検出する第１温度検出装置４０ａと、仕切り調理容器３０の底部３１のうちの他の領域である底部第２領域３１ｂの温度を検出する第２温度検出装置４０ｂとを備えている（図１、図２参照）。
【００３９】
因みに、第１温度検出装置４０ａ、第２温度検出装置４０ｂは、スプリング（図示せず）によって上方に付勢され、上端の感温部が仕切り調理容器３０の底部３１の所定の領域（底部第１領域）３１ａと、他の所定の領域（底部第２領域）３１ｂに確実に当接するように構成されている。
【００４０】
そして、上述の制御手段が、第１温度検出装置４０ａによって検出された温度に基づいて第１の炎孔群１０Ｇ１に形成される火炎の火力を制御し、第２温度検出装置４０ｂによって検出された温度に基づいて第２の炎孔群１０Ｇ２に形成される火炎の火力を制御するように構成されている。
【００４１】
なお、本実施形態にかかるガスコンロＡは、図１に示すように、第１の炎孔群１０Ｇ１に供給される燃料ガスの供給量を調節する第１のガスバルブＶ１、および、第２の炎孔群１０Ｇ２に供給される燃料ガスの供給量を調節する第２のガスバルブＶ２を備えている。
【００４２】
詳述すると、ガス供給管Ｐから供給された燃料ガスは、第３のガス連絡管Ｐ３を経由して第１のガスバルブＶ１に導入され、第１のガスバルブＶ１で通流および不通流と通流量の調節が行われた後、第１のガス連絡管Ｐ１を経由して第１のガスノズルＮ１から第１の混合管Ｍ１内に噴出され、第１のガスノズルＮ１から第１の混合管Ｍ１内に噴出された燃料ガスによるエジェクタ効果によって第１の混合管Ｍ１内に一次空気を吸引した後、第１の炎孔群１０Ｇ１に火炎が形成されるように構成されている（図１、図２参照）。
【００４３】
また、ガス供給管Ｐから供給された燃料ガスは、第４のガス連絡管Ｐ４を経由して第２のガスバルブＶ２に導入され、第２のガスバルブＶ２で通流および不通流と通流量の調節が行われた後、第２のガス連絡管Ｐ２を経由して第２のガスノズルＮ２から第２の混合管Ｍ２内に噴出され、第２のガスノズルＮ２から第２の混合管Ｍ２内に噴出された燃料ガスによるエジェクタ効果によって第２の混合管Ｍ２内に一次空気を吸引した後、第２の炎孔群１０Ｇ２に火炎が形成されるように構成されている。
【００４４】
そして、制御手段（図示せず）が、第１温度検出装置４０ａによって検出された温度により、第１のガスバルブＶ１を通流する燃料ガスの通流量を制御することで、第１の炎孔群１０Ｇ１に形成される火炎の火力を制御し、第２温度検出装置４０ｂによって検出された温度により、第２のガスバルブＶ２を通流する燃料ガスの通流量を制御することで、第２の炎孔群１０Ｇ２に形成される火炎の火力を制御するように構成されている。
【００４５】
また、本実施形態のガスコンロＡは、図１、図５に示すように、第１の炎孔群１０Ｇ１にスパークを発生する第１の点火プラグＩＰ１と第１の炎孔群１０Ｇ１に形成される火炎を検出する第１の炎検出装置Ｄ１を備えているとともに、第２の炎孔群１０Ｇ２にスパークを発生する第２の点火プラグＩＰ２と第２の炎孔群１０Ｇ２に形成される火炎を検出する第２の炎検出装置Ｄ２を備えている。
【００４６】
そして、第１の点火プラグＩＰ１が第１の炎孔群１０Ｇ１の一端側に位置し、第１の炎検出装置Ｄ１が第１の炎孔群１０Ｇ１の他端側に位置するように構成されているとともに、第２の点火プラグＩＰ２が第２の炎孔群１０Ｇ２の一端側に位置し、第２の炎検出装置Ｄ２が第２の炎孔群１０Ｇ２の他端側に位置するように構成されている。
【００４７】
また、本実施形態では、制御手段（図示せず）が、第１の炎検出装置Ｄ１、および、第２の炎検出装置Ｄ２の両方が火炎の検出を行った後に、第１の炎検出装置Ｄ１、および、第２の炎検出装置Ｄ２のいずれか一方が火炎の不存在を検出したとき、第１の炎孔群１０Ｇ１、および、第２の炎孔群１０Ｇ２の両方の燃焼を停止するように構成されている。
【００４８】
本実施形態のガスコンロＡは上述のように構成されているので、ガスコンロで加熱される調理容器として広く市販されている、調理容器本体（鍋本体）３０ａを平面視で２つの領域（第１調理領域３５ａと第２調理領域３５ｂの２つの領域）に仕切る仕切り３６を備えた仕切り調理容器（仕切り鍋）３０（図３、図４参照）を用いて加熱調理を行う場合に、第１調理領域３５ａと第２調理領域３５ｂの２つの領域に収容にされる被調理物が異なる場合（本実施形態では、第１調理領域３５ａには豆乳が入れられ、第２調理領域３５ｂには昆布出汁が入れられている場合）に、仕切り３６で仕切られた２つの領域（第１調理領域３５ａと第２調理領域３５ｂ）を、の温度を温度検出装置４０（４０ａ、４０ｂ）によって検出しながら個別に加熱の制御を行うことができる。
【００４９】
その結果、２つの領域に仕切られた仕切り調理容器（仕切り鍋）３０を用いて、２つの領域に異なる被調理物を入れて調理を行う場合にも、良好な調理を行うことが可能になる。
【００５０】
また、本実施形態では、第１の炎孔群１０Ｇ１と、第２の炎孔群１０Ｇ２とによって、炎孔群１０Ｇが平面視円環状に形成されているので、仕切り調理容器３０として、広く市販されている平面形状が円形の仕切り調理容器を用いた場合に、仕切り調理容器３０平面形状と相似形状の火炎により仕切り調理容器を加熱することが可能になり、エネルギ消費効率の良好なガスコンロを提供することができる。
【００５１】
また、本実施形態にかかるガスコンロＡにおいては、上述のように、第１の炎孔群１０Ｇ１に第１の点火プラグＩＰ１と第１の炎検出装置Ｄ１、第２の炎孔群１０Ｇ２に第２の点火プラグＩＰ２と第２の炎検出装置Ｄ２を設け、かつ、第１の点火プラグＩＰ１が第１の炎孔群１０Ｇ１の一端側に位置し、第１の炎検出装置Ｄ１が第１の炎孔群１０Ｇ１の他端側に位置し、第２の点火プラグＩＰ２が第２の炎孔群１０Ｇ２の一端側に位置し、第２の炎検出装置Ｄ２が第２の炎孔群１０Ｇ２の他端側に位置するように構成されているので、確実に第１の炎孔群１０Ｇ１、および、第２の炎孔群１０Ｇ２における、着火と火移りを検出することができ、使い勝手が良好で、信頼性の高いガスコンロを実現することができる。
【００５２】
また、本実施形態にかかるガスコンロＡにおいては、制御手段（図示せず）が、第１の炎検出装置Ｄ１、第２の炎検出装置Ｄ２の両方が火炎の検出をした後に、第１の炎検出装置Ｄ１および第２の炎検出装置Ｄ２のいずれか一方が火炎の不存在を検出したときに、第１の炎孔群１０Ｇ１と第２の炎孔群１０Ｇ２の両方の燃焼を停止するように構成されているので、第１の炎検出装置Ｄ１および第２の炎検出装置Ｄ２のいずれか一方の途中消火が発生したとき、使用者に途中消火が発生したことを確実に気付かせることが可能になり、調理の失敗を防ぐことができる。
【００５３】
なお、上述のように、（ａ）第１の点火プラグＩＰ１と第１の炎検出装置Ｄ１、第２の点火プラグＩＰ２と第２の炎検出装置Ｄ２を上記態様で備えるようにした構成、および、（ｂ）第１および第２の炎検出装置Ｄ１、Ｄ２の両方が火炎の検出をした後に、第１および第２の炎検出装置Ｄ１、Ｄ２のいずれか一方が火炎の不存在を検出したとき、第１および第２の炎孔群１０Ｇ１、１０Ｇ２の両方の燃焼を停止するようにした構成は、本発明をより有意義なものにするための構成であり、かかる構成を省略することも可能である。
【００５４】
本発明はさらにその他の点においても上記実施形態に限定されるものではなく、本発明の範囲内において種々の変形を加えることが可能である。
【符号の説明】
【００５５】
１          コンロバーナ
１０        炎孔
１０Ｇ      炎孔群
１０Ｇ１    第１の炎孔群
１０Ｇ２    第２の炎孔群
１１        コンロバーナのバーナ第１領域
１２        コンロバーナのバーナ第２領域
２０        五徳
２１        五徳枠
２２        五徳爪
３０        仕切り調理容器（仕切り鍋）
３０ａ      調理容器本体（鍋本体）
３１        仕切り調理容器の底部
３１ａ      底部第１領域
３１ｂ      底部第２領域
３５ａ      第１調理領域
３５ｂ      第２調理領域
３６        仕切り
４０        温度検出装置
４０ａ      第１温度検出装置
４０ｂ      第２温度検出装置
５０        天板
Ａ          ガスコンロ
ＩＰ１      第１の点火プラグ
ＩＰ２      第２の点火プラグ
Ｄ１        第１の炎検出装置
Ｄ２        第２の炎検出装置
Ｍ１        第１の混合管
Ｍ２        第２の混合管
Ｎ１        第１のガスノズル
Ｎ２        第２のガスノズル
Ｐ          ガス供給管
Ｐ１        第１のガス連絡管
Ｐ２        第２のガス連絡管
Ｐ３        第３のガス連絡管
Ｐ４        第４のガス連絡管
Ｖ１        第１のガスバルブ
Ｖ２        第２のガスバルブ
【図１】
2020020556.tif 000003
【図２】
2020020556.tif 000004
【図３】
2020020556.tif 000005
【図４】
2020020556.tif 000006
【図５】
2020020556.tif 000007